【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
第一の紙に印刷されたコンテンツと、前記第一の紙に印刷された該第一の紙を識別する紙識別情報、及び、前記第一の紙に手書きされた第一のシンボルに基づき、前記コンテンツの処理を行う画像処理装置において、
前記紙識別情報と前記コンテンツとを対応させて管理する紙識別情報管理手段と、
第二の紙に印刷された複数の処理内容と該処理内容毎に手書きされた第二のシンボルとを読み込んだ結果に基づき、前記第一の紙に手書きされた前記第一のシンボルと前記第二のシンボルとが一致性を有する場合に、前記第一の紙に印刷されたコンテンツに対して前記第二のシンボルに対応する処理内容を出力する、処理シンボル管理手段と、
前記処理シンボル管理手段が出力する処理内容に基づき、前記紙識別情報に対応する前記コンテンツを処理する処理実行手段と
を有することを特徴とする画像処理装置。
【請求項２】
前記コンテンツを前記第一の紙に印刷する場合に、該第一の紙を識別する紙識別情報を、前記紙識別情報管理手段が管理する対応づけに従い前記第一の紙に印刷する印刷手段を有することを特徴とする請求項１記載の画像処理装置。
【請求項３】
前記第二の紙は、印刷された前記第二の紙の識別情報を有することを特徴とする請求項１又は２記載の画像処理装置。
【請求項４】
前記処理シンボル管理手段は、前記一致性を有するか否かを判断する場合に、前記第一のシンボルと前記第二のシンボルとの類似度が所定の範囲内にあることを判断することを特徴とする請求項１ないし３いずれか一項記載の画像処理装置。
【請求項５】
前記処理シンボル管理手段は、処理を行う範囲、処理を行う対象となるコンテンツ、及び、処理内容を前記第二のシンボルと対応させて保持することを特徴とする請求項４記載の画像処理装置。
【請求項６】
前記処理シンボル管理手段は、前記処理を行う範囲、前記処理を行う対象となるコンテンツ、及び、前記処理内容について、選択欄を有する第二の紙にユーザが手書きにより選択した内容に基づいて、前記第二のシンボルと前記処理内容とを対応させることを特徴とする請求項４又は５記載の画像処理装置。
【請求項７】
前記処理実行手段は、前記第二のシンボルとの一致性を有すると判断された前記第一のシンボルを、前記コンテンツに上書きすることを特徴とする、請求項１ないし６いずれか一項記載の画像処理装置。
【請求項８】
前記処理実行手段は、前記第二のシンボルとの一致性を有すると判断されなかった前記第一のシンボルを前記コンテンツに上書きすることを特徴とする、請求項１ないし７いずれか一項記載の画像処理装置。
【請求項９】
前記第一の紙に手書きされた前記第一のシンボルに代えて前記第一の紙に手書きする場合の第一のストロークデータ、及び、前記第二の紙に手書きされた前記第二のシンボルに代えて前記第二の紙に手書きする場合の第二のストロークデータを用いることを特徴とする請求項１ないし８いずれか一項記載の画像処理装置。
【請求項１０】
前記処理シンボル管理手段は、前記第一のストロークデータと前記第二のストロークデータとの類似性を、ストロークの座標の値、ストロークの筆記速度の値、及び、ストロークの色の値の内、一以上のストロークを表す値を用いて判断することを特徴とする請求項９記載の画像処理装置。
【請求項１１】
前記処理シンボル管理手段は、複数の前記第二のストロークデータの内容である、ストロークの色の値、ストロークの位置を表す値、ストロークの大きさの値、及び、ストロークの筆記速度の値の内、一以上のストロークを表す値により、前記第二のストロークデータに対応する処理を行う優先の度合いを保持していることを特徴とする請求項９又は１０記載の画像処理装置。
【請求項１２】
前記処理シンボル管理手段は、複数の前記第二のストロークデータに対応する処理毎に、該処理を行う優先順を決めることを特徴とする請求項１１記載の画像処理装置。
【請求項１３】
第一の紙に印刷されたコンテンツ、前記第一の紙に印刷された該第一の紙を識別する紙識別情報、及び、前記第一の紙に手書きされた第一のシンボルに基づき、前記コンテンツの処理を行う、前記紙識別情報と前記コンテンツとを対応させて管理する紙識別情報管理手段を有する画像処理装置における画像処理方法において、
第二の紙に印刷された複数の処理内容と該処理内容毎に手書きされた第二のシンボルとを読み込む第一の読み込みステップと、
前記第一の紙に印刷されたコンテンツ、前記第一の紙を識別する紙識別情報、及び、前記第一の紙に手書きされた前記第一のシンボルを読み込む第二の読み込みステップと、
前記第一及び第二の読み込みステップで読み込まれた、前記第二のシンボル及び前記第一のシンボルとが一致性を有する場合に、前記第二のシンボルに対応する処理内容を出力する、処理シンボル管理ステップと、
前記処理シンボル管理ステップにより出力された処理内容に基づき、前記紙識別情報に対応する前記コンテンツを処理する処理実行ステップと
を有することを特徴とする画像処理方法。
【請求項１４】
前記コンテンツを前記第一の紙に印刷する場合に、該第一の紙を識別する紙識別情報を、前記紙識別情報管理手段が管理する対応づけに従い前記第一の紙に印刷する印刷ステップを有することを特徴とする請求項１３記載の画像処理方法。
【請求項１５】
前記第二の紙は、印刷された前記第二の紙の識別情報を有することを特徴とする請求項１３又は１４記載の画像処理方法。
【請求項１６】
前記処理シンボル管理ステップは、前記一致性を有するか否かを判断する場合に、前記第一のシンボルと前記第二のシンボルとの類似度が所定の範囲内にあることを判断することを特徴とする請求項１３ないし１５いずれか一項記載の画像処理方法。
【請求項１７】
前記処理シンボル管理ステップは、処理を行う範囲、処理を行う対象となるコンテンツ、及び、処理内容を前記第二のシンボルと対応させて保持することを特徴とする請求項１６記載の画像処理方法。
【請求項１８】
前記処理シンボル管理ステップは、前記処理を行う範囲、前記処理を行う対象となるコンテンツ、及び、前記処理内容について、選択欄を有する第二の紙にユーザが手書きにより選択した内容に基づいて、前記第二のシンボルと前記処理内容とを対応させることを特徴とする請求項１６又は１７記載の画像処理方法。
【請求項１９】
前記処理実行ステップは、前記第二のシンボルとの一致性を有すると判断された前記第一のシンボルを、前記コンテンツに上書きすることを特徴とする、請求項１３ないし１８いずれか一項記載の画像処理方法。
【請求項２０】
前記処理実行ステップは、前記第二のシンボルとの一致性を有すると判断されなかった前記第一のシンボルを前記コンテンツに上書きすることを特徴とする、請求項１３ないし１９いずれか一項記載の画像処理方法。
【請求項２１】
前記第一の紙に手書きされた前記第一のシンボルに代えて前記第一の紙に手書きする場合の第一のストロークデータ、及び、前記第二の紙に手書きされた前記第二のシンボルに代えて前記第二の紙に手書きする場合の第二のストロークデータを用いることを特徴とする請求項１３ないし２０いずれか一項記載の画像処理方法。
【請求項２２】
前記処理シンボル管理ステップは、前記第一のストロークデータと前記第二のストロークデータとの類似性を、ストロークの座標の値、ストロークの筆記速度の値、及び、ストロークの色の値の内、一以上のストロークを表す値を用いて判断することを特徴とする請求項２１記載の画像処理方法。
【請求項２３】
前記処理シンボル管理ステップは、複数の前記第二のストロークデータの内容である、ストロークの色の値、ストロークの位置を表す値、ストロークの大きさの値、及び、ストロークの筆記速度の値の内、一以上のストロークを表す値により、前記第二のストロークデータに対応する処理を行う優先の度合いを保持していることを特徴とする請求項２１又は２２記載の画像処理方法。
【請求項２４】
前記処理シンボル管理ステップは、複数の前記第二のストロークデータに対応する処理毎に、該処理を行う優先順を決めることを特徴とする請求項２３記載の画像処理方法。
【請求項２５】
コンピュータに、請求項１３ないし２４のいずれか一項に記載の画像処理方法を実行させるための画像処理プログラム。